(57)【特許請求の範囲】
【請求項１】
ＰＯＳ機能を有するＰＯＳ本体と、該ＰＯＳ本体との着脱可能であって商品発注業務に使用するオーダターミナルとで構成され、
前記ＰＯＳ本体は、
前記オーダターミナルの着脱を検知し該オーダターミナルに充電を行なう充電・接続検知部と、
該充電・接続検知部によって前記オーダターミナルの装着が検知されると該ＰＯＳ本体にＰＯＳ画面を表示させ、また前記オーダターミナルの取り外しが検知されると該ＰＯＳ本体に前記ＰＯＳ画面およびＰＯＳキーボード画面を表示させるＰＯＳ制御部と、
前記オーダターミナルの装着時には赤外線によりオーダターミナルとの間で赤外線により通信を行なうＰＯＳ赤外線通信部とを有し、
前記オーダターミナルは、
前記充電・接続検知部によって充電されるバッテリと、
該オーダターミナルの着脱を検知する検知部と、
該検知部によってオーダターミナルの装着が検知されると該オーダターミナルに前記ＰＯＳキーボード画面を表示させ、またオーダターミナルの取り外しが検知されると商品発注画面を表示させるオーダターミナル制御部と、
該オーダターミナルの装着時には赤外線により前記ＰＯＳ本体との間で赤外線により通信を行なうオーダターミナル赤外線通信部とを有することを特徴とするＰＯＳ端末装置。
【請求項２】
前記キーボード部はＬＣＤタッチパネルで構成されることを特徴とする請求項１に記載のＰＯＳ端末装置。
【発明の詳細な説明】
【０００１】
【発明の属する技術分野】
本発明は、商品販売業務および商品発注業務を行うためのＰＯＳ(Point of sales)端末装置に関する。
【０００２】
【従来の技術】
従来のこの種のＰＯＳ端末装置は、商品販売業務を行なうための装置と商品発注業務を行うための装置とが独立し、ＬＡＮ等のネットワークで上位装置のサーバに接続する構成となっている。例えば、図７（従来技術１）に示すように、従来のＰＯＳ装置によって商品販売業務を行なう際は、ＰＯＳ本体１００を使用し、商品バーコードをバーコードスキャナで読み込んだり、タッチパネルを利用しオペレータ表示画面上で処理を実施したり、あるいはキーボード入力により精算処理を行う。一方、商品発注業務を行なう際には、利用者がオーダターミナル２００を携帯して商品棚に移動しながら商品発注業務を行ない、入力したデータは、オーダターミナル用の充電機能と店舗サーバ４００へのネットワーク通信機能を持ったステーションユニット３００に接続することにより店舗サーバ４００へ送信するようにしている。
【０００３】
また、図８に示すようにオーダターミナル２０１がＬＣＤ表示部６を兼用し、ＰＯＳ本体１０１から分離可能なオーダターミナル付きのＰＯＳ端末装置(従来技術２)も知られている。図８(Ａ)はオーダターミナル２０１がＰＯＳ本体１０１に装着された状態、図８(Ｂ)はオーダターミナル２０１が取り外された状態を示す従来技術２によるＰＯＳ端末装置の外観図である。
【０００４】
【発明が解決しようとする課題】
しかしながら、上述した従来技術１では、オーダターミナル個別に充電／通信用のステーションユニットが必要であるため、ＰＯＳ端末装置とは別個のネットワーク接続がステーションユニット毎に必要になるという第１の問題点がある。
【０００５】
更に、既存のＰＯＳシステムではＰＯＳシステムを構築するのに必要不可欠なユニットが決まっているため、大幅な原価低減を行うのは困難であるという第２の問題点がある。
【０００６】
また、従来技術２では、オーダターミナル部がＰＯＳ本体の表示部を兼用しているため、商品発注業務でオーダターミナルを使用する場合には、ＰＯＳ端末装置としての機能がその間は発揮できなくなるという問題点がある。
【０００７】
本発明の目的は、上記問題点を解決し、ＰＯＳシステムを構築するのに必要なユニット数の削減を行い、機能統合が可能で使いやすいＰＯＳ端末装置を提供することにある。
【００１０】
【課題を解決するための手段】
本発明のＰＯＳ端末装置は、ＰＯＳ機能を有するＰＯＳ本体(図１の１)と、該ＰＯＳ本体との着脱可能であって商品発注業務に使用するオーダターミナル(図１の２)とで構成され、ＰＯＳ本体は、オーダターミナルの着脱を検知し該オーダターミナルに充電を行なう充電・接続検知部(図２の１３)と、該充電・接続検知部によってオーダターミナルの装着が検知されると該ＰＯＳ本体にＰＯＳ画面を表示させ、またオーダターミナルの取り外しが検知されると該ＰＯＳ本体にＰＯＳ画面およびＰＯＳキーボード画面を表示させるＰＯＳ制御部(図２の１４)と、オーダターミナルの装着時には赤外線によりオーダターミナルとの間で赤外線により通信を行なうＰＯＳ赤外線通信部(図２の１２)とを有し、オーダターミナルは、充電・接続検知部によって充電されるバッテリと、該オーダターミナルの着脱を検知する検知部(図２の２３)と、該検知部によってオーダターミナルの装着が検知されると該オーダターミナルにＰＯＳキーボード画面を表示させ、またオーダターミナルの取り外しが検知されると商品発注画面を表示させるオーダターミナル制御部(図２の２４)と、該オーダターミナルの装着時には赤外線によりＰＯＳ本体との間で赤外線により通信を行なうオーダターミナル赤外線通信部(図２の２２)とを有することを特徴とする。
【００１１】
なお、キーボード部はＬＣＤタッチパネルで構成されてもよいし、ＰＯＳ本体、およびキーボード部またはオーダターミナルがそれぞれ無線通信機能を備えるようにしてもよい。
【００１２】
本発明では、上述の課題を解決するための手段として、オーダターミナル機能／ＰＯＳキーボード機能を一体にしたユニットをＰＯＳ端末装置のＩＯ機器として接続する。従来、ＰＯＳ端末装置において入力機器として必要とされていたキーボードユニットを無くし、代わってオーダターミナル機能とキーボード機能を併せ持つユニットをＰＯＳのＩＯ機器とする。このユニットをＰＯＳ本体に、未接続時には、従来の店舗商品発注業務を単独で行える。一方、このユニットをＰＯＳ本体接続時には、ＰＯＳキーボードとして使用することが可能となる。キーボードは従来のストローク式のキーボードではなく、オーダターミナルのＬＤＣ表示部（このＬＣＤ表示部にはタッチパネル機能有する）にキー配列が表示され、それを画面タッチすることにより従来のキーボードと同等のキー入力が実現できる。
【００１３】
【発明の実施の形態】
本発明のＰＯＳ端末装置は、ＰＯＳ機能を有するＰＯＳ本体と、該ＰＯＳ本体との着脱可能であって商品発注業務に使用するオーダターミナルとで構成される。ＰＯＳ本体は、オーダターミナルの着脱を検知し該オーダターミナルに充電を行なう充電・接続検知部と、該充電・接続検知部によってオーダターミナルの装着が検知されると該ＰＯＳ本体にＰＯＳ画面を表示させ、またオーダターミナルの取り外しが検知されると該ＰＯＳ本体にＰＯＳ画面およびＰＯＳキーボード画面を表示させるＰＯＳ制御部と、オーダターミナルの装着時には赤外線によりオーダターミナルとの間で赤外線により通信を行なうＰＯＳ赤外線通信部とを有する。また、オーダターミナルは、充電・接続検知部によって充電されるバッテリと、該オーダターミナルの着脱を検知する検知部と、該検知部によってオーダターミナルの装着が検知されると該オーダターミナルにＰＯＳキーボード画面を表示させ、またオーダターミナルの取り外しが検知されると商品発注画面を表示させるオーダターミナル制御部と、該オーダターミナルの装着時には赤外線によりＰＯＳ本体との間で赤外線により通信を行なうオーダターミナル赤外線通信部とを有する。
【００１５】
次に、本発明の実施例について図面を参照して詳細に説明する。
【００１６】
図１は本発明の一実施例の外観図である。図１を参照すると、オーダターミナル機能とＰＯＳ機能とを一体にしたＰＯＳ端末装置のブロック図が示されている。
【００１７】
従来、ＰＯＳ端末装置の入力機器として必要とされていたＰＯＳ本体固定のキーボードユニットは無くなり、その箇所に代わってタッチパネル機能を有するオーダターミナル２がＰＯＳ本体１に着脱される。図１(Ａ)はオーダターミナル２がＰＯＳ本体１に装着された状態、図１(Ｂ)は取り外された状態を示す。このオーダターミナル２は、ＰＯＳ本体１に未装着時には従来の店舗商品発注業務を単独で行え、ＰＯＳ本体１に装着時にはキーボード機能を実現する。
【００１８】
オーダターミナル２上に実現されるキーボードはストローク式のキーボードではなく、オーダターミナル２のＬＤＣ表示部（このＬＣＤ表示部にはタッチパネル機能有する）にキー配列が表示され、それを画面タッチすることによりストローク式のキーボードと同等のキーを実現するものである。キー配列については、ソフト的に自由にカスタマイズが可能となるため、従来のキー配列が固定であったキーボードとは異なり自由なキー配列が選択可能となる。
【００１９】
図２は、ＰＯＳ本体１とオーダターミナル２との着脱の様子を示し、図３はＰＯＳ本体１とオーダターミナル２の各接続部の詳細を示す。
【００２０】
図２において、オーダターミナル２がＰＯＳ本体１に装着された場合は、ＰＯＳ赤外線通信部１２とオーダターミナル赤外線通信部２２は、非接触で赤外線通信を利用し、状況に応じて、ＰＯＳ本体１とオーダターミナル２間でキーデータや商品発注データのデータ通信を行なう。この場合には、ＰＯＳ充電用コネクタ１１とオーダターミナル充電用コネクタ２１が接続されることにより、図３に示されるＰＯＳ本体１側の充電回路・接続検知回路１３からオーダターミナル２のバッテリ２６に対して充電が開始される。
【００２１】
また、オーダターミナル２側の検知回路２３は、ＰＯＳ充電用コネクタ１１とオーダターミナル充電用コネクタ２１が接続されたことを認識し、この結果によりオーダターミナル制御部２４はオーダターミナル２がＰＯＳ本体１に装着されたと判断して、図４（Ａ）に示すようなオーダターミナル装着時のオーダターミナル画面（ＰＯＳキーボード画面）３１を表示する。これにより、本ＰＯＳ端末装置の使用者はオーダターミナル部２のＬＣＤ表示部に表示されたＰＯＳキー配列の部分をタッチすることにより、ストローク式のキーボードと同様の入力動作が可能となる。
【００２２】
一方、ＰＯＳ本体１側の充電回路・接続検知回路１３はオーダターミナル２の装着を検知したことにより、ＰＯＳ制御部１４はオーダターミナル２がＰＯＳ本体１に装着されたと判断して、図５（Ａ）に示すようなオーダターミナル装着時のＰＯＳ本体画面４１を表示する。ＰＯＳ本体画面４１は、図４（Ａ）のオーダターミナル画面（ＰＯＳキーボード画面）３１が存在することを前提にして、商品のＰＯＳを行なうためのものである。
【００２３】
次に、オーダターミナル２を商品発注業務に使用する場合には、ＰＯＳ本体１からオーダターミナル２を取り外す。すると、検知回路２３はＰＯＳ充電用コネクタ１１とオーダターミナル充電用コネクタ２１が切り離されたことを認識し、この結果によりオーダターミナル制御部２４はオーダターミナル２がＰＯＳ本体１に取り外されたと判断して、図４（Ｂ）に示すようなオーダターミナル取外し時のオーダターミナル画面（商品発注画面）３２を表示する。これにより、本ＰＯＳ端末の使用者はオーダターミナル２の単独使用、従ってオーダターミナル２を携帯して店内を巡回しながら商品発注業務を行うことができる。
【００２４】
一方、ＰＯＳ本体１側の充電回路・接続検知回路１３はオーダターミナル２の取外しを検知したことにより、ＰＯＳ制御部１４はオーダターミナル２がＰＯＳ本体１から切り離されたと判断して、図５（Ｂ）に示すようなオーダターミナル取外し時のＰＯＳ本体画面４２を表示する。このオーダターミナル取外し時のＰＯＳ本体画面４２は、オーダターミナル装着時のＰＯＳ本体画面４１［図５（Ａ）］にオーダターミナル装着時のオーダターミナル画面（ＰＯＳキーボード画面）３１に［図４（Ａ）］を追加した形になっている。これにより、本ＰＯＳ端末の使用者はオーダターミナル部２が分離使用されている時でも、ＰＯＳ本体１で商品精算業務を行なうことができるようになる。
【００２５】
なお、オーダターミナル２を再びＰＯＳ本体１に装着すれば、オーダターミナル画面は図４（Ｂ）から図４（Ａ）へ、ＰＯＳ本体画面は図５（Ｂ）から図５（Ａ）へ切り替わる。
【００２６】
オーダターミナル２の他、ＰＯＳ機能のために必要なＩＯ機器として図６に示すように、プリンタ３，ＢＨＳ４，オペレータＬＣＤ５，オペレータタッチパネル６，カスタマＬＣＤ７およびカスタマタッチパネル８がＰＯＳ本体１に接続される。
【００２７】
また、図６には、ＰＯＳ本体１内部の機能のために必要な構成要素として、従来のＰＯＳ端末装置にも使用されている中央処理部１６，メモリ部１７，ネットワーク通信部１８と、前述の充電回路・接続検知回路１３，ＰＯＳ制御部１４およびＰＯＳ赤外線通信部１５とが示されている。
【００２８】
ＰＯＳ制御部１４およびネットワーク通信部１８は、オーダターミナル２で独自に行われた商品発注業務のデータをＰＯＳ本体１装着時に店舗サーバへ送信する場合の中継機能を提供する。ＰＯＳ本体の内部のその他の構成要素については、当業者によく知られており、また本発明とは直接関係しないので、説明を省略する。
【００２９】
以上に述べたＰＯＳ端末装置は、コンビニエンスストアやスーパー，百貨店等の商品販売業種での使用を目的としているが、本発明の他の実施例として、ＰＯＳ本体およびオーダターミナルに無線機能を持たせ、ＰＯＳ本体とオーダターミナル間で無線通信を可能にすれば、ファミリーレストランや飲食店等での料理等に注文受付端末としても使用できる。すなわち、オーダを受けると同時にオーダターミナルからＰＯＳ本体に情報を無線で通信し、そこからネットワークを経由して厨房等にオーダを配信できるＰＯＳシステムが考えられる。このＰＯＳシステムによれば、注文を受けてから厨房に連絡する方法の自動化が可能となる。
【００３０】
【発明の効果】
本発明の第１の効果は、キーボード機能をオーダターミナルが行なう構成としたため、キーボードユニットの削減およびオーダターミナルの充電と通信を行うためのステーションユニットの削減によりＰＯＳ端末装置の原価低減、ひいては顧客のＰＯＳシステム導入費用の低減ができるということである。
【００３１】
また、第２の効果は、商品販売業務と商品発注業務を同一端末で行えることにより、店舗における装置の設置エリア縮小が可能となり、またステーションユニットの削減によりＰＯＳシステム設置時のＬＡＮ敷線工事が削減できるということである。
【００３２】
更に、第３の効果は、希望のキー配列を無料で自由に選択可能となるため、キー配列がソフト的に自由にカスタマイズが可能となり、キー配列が選択が自由に行えるということである。
【図面の簡単な説明】
【図１】本発明の一実施例の外観図
【図２】本発明のＰＯＳ端末装置におけるＰＯＳ本体とオーダターミナルとの着脱の様子を示す図
【図３】ＰＯＳ端末装置におけるＰＯＳ本体とオーダターミナルの結合部の詳細を示す図
【図４】本発明におけるオーダターミナル装着時と取外し時それぞれのそれぞれのオーダターミナル画面を示す図
【図５】本発明におけるオーダターミナル装着時と取外し時それぞれのＰＯＳ本体の画面を示す図
【図６】本発明のＰＯＳ本体の構成とＰＯＳ本体に接続される機器とを示すブロック図
【図７】従来技術１によるＰＯＳシステムの外観図
【図８】従来技術２によるＰＯＳ端末装置の外観図
【符号の説明】
１        ＰＯＳ本体
２        オーダターミナル
３        プリンタ
４        ＢＨＳ
５        オペレータＬＣＤ
６        オペレータタッチパネル
７        カスタマＬＣＤ
８        カスタマタッチパネル
１１      ＰＯＳ充電用コネクタ
１２      ＰＯＳ赤外線通信部
１３      充電回路・接続検知回路
１４      ＰＯＳ制御部
１５      赤外線通信制御部
１６      中央処理部
１７      メモリ部
１８      ネットワーク通信部
２１      オーダターミナル充電用コネクタ
２２      オーダターミナル赤外線通信部
２３      検知回路
２４      オーダターミナル制御部
２５      赤外線通信制御部
２６      バッテリ
【図１】
0003726019.tif 000002
【図２】
0003726019.tif 000003
【図３】
0003726019.tif 000004
【図４】
0003726019.tif 000005
【図５】
0003726019.tif 000006
【図６】
0003726019.tif 000007
【図７】
0003726019.tif 000008
【図８】
0003726019.tif 000009